(57)【特許請求の範囲】
【請求項１】
籾漏斗(１２)に投入された籾を脱ぷ風選部(Ｂ)に供給する籾昇降機(１３)と、脱ぷ風選部(Ｂ)で脱ぷし風選された玄米と籾の混合米を貯留タンク(４)に揚上する混合米昇降機(１４)と、前記貯留タンク(４)から供給される混合米を選別する混合米選別部(Ａ)と、混合米選別部(Ａ)で選別された玄米を取り出す玄米昇降機(１７)とを備え、前記脱ぷ風選部(Ｂ)の籾タンク(８)横側部に配設したパネル(７)の切替ガイド溝(６)に沿って作動する手動操作レバー(１)の作動により、前記混合米選別部(Ａ)から流出する選別物を玄米取出路(２)側と混合米循環路(３）側とに案内して機外取出しと機内循環とに切り替える籾摺機の選別物切り替え装置において、前記混合米選別部(Ａ)に混合米を供給する貯留タンク(４）を昇降可能に吊持し、該貯留タンク(４)内の貯留量が減少して上昇し空になった時点における貯留タンク(４)に連係して、前記切替ガイド溝(６)の機外取出位置(Ｘ)に係止中の前記操作レバー(１)の係止を自動的に解く解除手段(Ｐ)を設け、該解除手段(Ｐ)により操作レバー(１)を前記機外取出位置(Ｘ)から前記切替ガイド溝(６)の機内循環位置(Ｙ)に自動的に戻す構成にし、解除手段(Ｐ)は、貯留タンク(４)の貯留量が空になったことを検知するスイッチ(Ｓ)を機外取出位置(Ｘ)に係止中の操作レバー(１)の係止を解く側に移行させる制御モータ(Ｍ)に接続し、スイッチ(Ｓ)の検知に連動して制御モータ(Ｍ)を作動する構成にする一方で、前記パネル(７)の前方延出部分に前記切替ガイド溝(６)から側方にずれて位置する前後方向の開閉ガイド溝(１０)を設け、該開閉ガイド溝(１０)後端の開き側(Ｚ)を、前記切替ガイド溝(６)前端の機内循環位置(Ｙ)側に連通させ、前記操作レバー(１)を、切替ガイド溝(６)の機内循環位置(Ｙ)から引き続いて開閉ガイド溝(１０)にそって手動移行させることにより、前記脱ぷ風選部(Ｂ)の籾タンク(８)底部に設けられているシャッタ(９）を開閉し得るようにしたことを特徴とする籾摺機の選別物切り替え装置。
【発明の詳細な説明】
【０００１】
【発明の属する技術分野】
本発明は、操作レバーの操作により混合米選別部から流出する選別物を玄米取出路側と混合米循環路側とに案内して機外取出しと機内循環とに切り替える籾摺機の選別物切り替え装置に関するものである。
【０００２】
【従来の技術】
従来、１つの操作レバーにより、運転停止時には脱ぷ風選部の籾タンク底部に設けるシャッタを全閉にし、混合米選別部から流出する選別物を機内循環側にし、揺動選別板を停止させ、運転開始時にはシャッタを半開とし、選別物を機内循環側にするとともに揺動選別板を駆動させ、更に定常運転時にはシャッタを全開とし、揺動選別板を駆動させるとともに選別物を機外取出し側に切り替え、また、シャッタが全閉時、つまり揺動選別板の停止時には貯留タンクから揺動選別板への混合米の供給を停止させるもの（特開平８−３２３２２１号公報参照）や、単一の操作レバーにより脱ぷ風選部の籾供給量の調節と、揺動選別板の揺動クラッチの入切、および選別物の機内循環と機外取出しの切り替えを行うもの（特開平１０−１７４８９４号公報参照）等の技術が一般に公開されている。
【０００３】
【発明が解決しようとする課題】
上記従来の技術に対して、本発明のものは、操作レバーにより混合米選別部から流出する選別物を機外取出しと機内循環とに切り替えるものではあるが、混合米選別部が定常運転をしているとき、その選別作用が不安定になることを検知することにより選別物を取出す機外取出位置に係止中の操作レバーが自動的に機内循環位置に切り替わるものにして、操作レバーの切り替え操作を不要にし選別精度を低下させることのない装置を提供せんとするを目的とするものである。
【０００４】
【課題を解決するための手段】
そこで、この発明は、前項に記載の目的を遂行せんがために、籾漏斗(１２)に投入された籾を脱ぷ風選部(Ｂ)に供給する籾昇降機(１３)と、脱ぷ風選部(Ｂ)で脱ぷし風選された玄米と籾の混合米を貯留タンク(４)に揚上する混合米昇降機(１４)と、前記貯留タンク(４)から供給される混合米を選別する混合米選別部(Ａ)と、混合米選別部(Ａ)で選別された玄米を取り出す玄米昇降機(１７)とを備え、前記脱ぷ風選部(Ｂ)の籾タンク(８)横側部に配設したパネル(７)の切替ガイド溝(６)に沿って作動する手動操作レバー(１)の作動により、前記混合米選別部(Ａ)から流出する選別物を玄米取出路(２)側と混合米循環路(３）側とに案内して機外取出しと機内循環とに切り替える籾摺機の選別物切り替え装置において、前記混合米選別部(Ａ)に混合米を供給する貯留タンク(４）を昇降可能に吊持し、該貯留タンク(４)内の貯留量が減少して上昇し空になった時点における貯留タンク(４)に連係して、前記切替ガイド溝(６)の機外取出位置(Ｘ)に係止中の前記操作レバー(１)の係止を自動的に解く解除手段(Ｐ)を設け、該解除手段(Ｐ)により操作レバー(１)を前記機外取出位置(Ｘ)から前記切替ガイド溝(６)の機内循環位置(Ｙ)に自動的に戻す構成にし、解除手段(Ｐ)は、貯留タンク(４)の貯留量が空になったことを検知するスイッチ(Ｓ)を機外取出位置(Ｘ)に係止中の操作レバー(１)の係止を解く側に移行させる制御モータ(Ｍ)に接続し、スイッチ(Ｓ)の検知に連動して制御モータ(Ｍ)を作動する構成にする一方で、前記パネル(７)の前方延出部分に前記切替ガイド溝(６)から側方にずれて位置する前後方向の開閉ガイド溝(１０)を設け、該開閉ガイド溝(１０)後端の開き側(Ｚ)を、前記切替ガイド溝(６)前端の機内循環位置(Ｙ)側に連通させ、前記操作レバー(１)を、切替ガイド溝(６)の機内循環位置(Ｙ)から引き続いて開閉ガイド溝(１０)にそって手動移行させることにより、前記脱ぷ風選部(Ｂ)の籾タンク(８)底部に設けられているシャッタ(９）を開閉し得るようにしたので、貯留タンク(４)内の貯留量が空になることによって混合米選別部(Ａ)における選別作用が不安定になれば、切替ガイド溝(６)の機外取出位置(Ｘ)に係止中の手動操作レバー(１)は解除手段(Ｐ)によって自動的にその係止が解かれ、混合米選別部(Ａ)から流出する選別物は自動的に機内循環に切り替わるようになる。
【０００５】
そして、解除手段(Ｐ)を、貯留タンク(４)の貯留量が空になったことを検知するスイッチ(Ｓ)を前記機外取出位置(Ｘ)に係止中の手動操作レバー(１)の係止を解く側に移行させる制御モータ(Ｍ)に接続して、スイッチ(Ｓ)の検知に連動して制御モータ(Ｍ)を作動する構成のものであるから、貯留タンク(４)内の貯留量が減少して空になったことを正確に検知し制御モータ(Ｍ)が機外取出位置(Ｘ)にある操作レバー(１)の係止を解いて機内循環への切り替えがタイミングよく行われる。
【０００６】
また、前記操作レバー(１)により、脱ぷ風選部(Ｂ)の籾タンク(８)底部に設けられているシャッタ(９）の開閉も可能にするとともに、操作レバー(１)をガイドする開閉ガイド溝(１０)の開き側(Ｚ)を切替ガイド溝(６)の機内循環位置(Ｙ)側に連通連結したことによって、機外取出位置(Ｘ)に係止中の手動操作レバー(１)が解除手段(Ｐ)により自動的に係止を解かれて、混合米選別部(Ａ)から流出する選別物は自動的にタイミグよく機内循環に切り替わるものでありながら、操作レバー(１)の手動操作により籾タンク(８)のシャッタ(９)の開閉もでき、その開閉操作に引き続いて選別物の機内循環と機外取出しの切り替えが可能になる。
【０００７】
【発明の実施の形態】
【実施例】
以下、本発明による選別物切り替え装置に関して実施例図を参照し具体的に説明する。先ず、図１〜図５により記載すると、この図に示す籾摺機は、機台（１１）上の前側に脱ぷ風選部（Ｂ）を後側に揺動式の混合米選別部（Ａ）を配置して組成したもので、籾漏斗（１２）に投入された籾は籾昇降機（１３）により揚上され脱ぷ風選部（Ｂ）に供給されて脱ぷし風選され、籾殻と粃類が除去されて玄米と籾の混合米が混合米昇降機（１４）により揚上されて投出筒（１５）から貯留タンク（４）に入り、該タンク（４）から多段に積み重ねた揺動選別板（１６）に分配供給され揺動による選別作用を受けて選別された玄米は玄米昇降機（１７）によって取出される。
【０００８】
前記の貯留タンク（４）は混合米昇降機（１４）から延出する支持棒（１８）（１８）の先端に掛け渡した横杆（１９）の両端に上端部を螺合したスプリング（２０）（２０）によって支持され投出筒（１５）から投入する混合米の貯留重の変動により昇降可能に吊持されている。
【０００９】
そして、貯留タンク（４）内の貯留量が減少して上昇し空の状態を検知するスイッチ（Ｓ）を設けてあって、このスイッチ（Ｓ）は混合米昇降機（１４）側から突設する支持金（２１）に取着されて貯留タンク（４）が上昇してスイッチ（Ｓ）に接触するとＯＮして貯留タンク（４）が空になったことを検知するのである。
【００１０】
ここで、混合米選別部（Ａ）について記載すると、前記揺動選別板（１６）は表面を粗雑面にして多段に積み重ねたものを数本の揺動支杆（２２）・・・により縦横双方に傾けて支承するとともに、偏心駆動機構によって揺動運動が与えられ混合米を選別するのである。
【００１１】
（２３）は揺動選別板（１６）の選別粒取出側で揺上側から流出するものを受ける玄米受で玄米取出路（２）を形成し、（２４）は揺下側から流出するものを受ける籾受であって籾取出路（２５）を形成している。また、（２６）は揺上側と揺下側の中間部から流出するものを受ける混合米受で混合米循環路（３）を形成している。
【００１２】
そして、玄米取出路（２）に流入したものは玄米受樋（２７）を経て前記の玄米昇降機（１７）によって取出され、混合米循環路（３）に落入したものは混合米受樋（２８）から混合米昇降機（１４）に返されて揺動選別板（１６）に供給されるようになって機内を循環し、籾取出路（２５）に流入したものは籾受樋（２９）を通り籾昇降機（１３）によって脱ぷ風選部（Ｂ）に返されるようになっている。
【００１３】
また、玄米取出路（２）を形成する玄米受（２３）と混合米循環路（３）を形成する混合米受（２６）が交わる分岐部には軸（３０）を支点にして上下動し、上動によって揺動選別板（１６）の揺上側から流出するものを混合米循環路（３）側に案内し、下動により玄米取出路（２）側に落下させる切替弁（３１）が装着されている。
【００１４】
また、脱ぷ風選部（Ｂ）側の前記籾タンク（８）の機体左側である操作側には前後方向に形成した切替ガイド溝（６）を有するパネル（７）が取り付けてあって、この溝（６）に軸（３２）を支点にして操作する操作レバー（１）が挿通し、操作レバー（１）のレバーアーム（３３）と前記切替弁（３１）の弁アーム（３４）とをワイヤー（３５）で連繋して、操作レバー（１）を切替ガイド溝（６）における前端の機内循環位置（Ｙ）に操作すると、ワイヤー（３５）等を介して切替弁（３１）を上動し揺動選別板（１６）の揺上側から流出するものを混合米循環路（３）側に案内する機内循環姿勢にし、後端の機外取出位置（Ｘ）に操作すれば、切替弁（３１）は下動して揺上側から流出するものを玄米取出路（２）に落下させる機外取出姿勢に切り替えるのである。
【００１５】
そして、前記の切替ガイド溝（６）の後端には側方に折曲する係止部（３６）を形成して操作レバー（１）を機外取出位置（Ｘ）に保持し、また、操作レバー（１）が係止部（３６）から脱して係止が解かれると戻しバネ（３７）によって操作レバー（１）は前端の機内循環位置（Ｙ）に移動し切替弁（３１）は機外取出姿勢から機内循環姿勢になるのである。
【００１６】
そこで、切替ガイド溝（６）後端の機外取出位置（Ｘ）に係止中の操作レバー（１）の係止を解く解除手段（Ｐ）について記載すると、（Ｍ）は制御モータで、そのモータ軸（３８）を前記係止中の操作レバー（１）脇において交叉させて解除板（３９）を軸着し、モータ軸（３８）の回動により係止部（３６）に係止している操作レバー（１）を移行させて係止を解くようにし、その制御モータ（Ｍ）に前記のスイッチ（Ｓ）を接続させることにより、貯留タンク（４）が上昇してスイッチ（Ｓ）がＯＮすると制御モータ（Ｍ）が起動して解除板（３９）により操作レバー（１）の係止を解除するのである。
【００１７】
そして、係止が解かれた操作レバー（１）は前記のように戻しバネ（３７）によって機内循環位置（Ｙ）に移動し、貯留タンク（４）内には混合米が溜って下降しスイッチ（Ｓ）はＯＦＦするのである。
【００１８】
即ち、操作レバー（１）を図３に示すように、切替ガイド溝（６）の後端に操作して係止部（３６）に係止し機外取出位置（Ｘ）に保持して切替弁（３１）が機外取出姿勢であるとき、貯留タンク（４）内の貯留量が減少して矢印（イ）のように上昇し空の状態になってスイッチ（Ｓ）に接触すれば、モータ軸（３８）は矢印（ロ）に示すように回動して解除板（３９）により操作レバー（１）の係止を解き、切替弁（３１）は（ハ）のように上動して機内循環姿勢に切り替わるようになる。
【００１９】
また、（５）は制御モータ（Ｍ）を前記のスイッチ（Ｓ）とは関係なくＯＮ・ＯＦＦする手動ボタンで、前記係止部（３６）の傍らのバネル（７）部分に取り付けてあって前記切替弁（３１）を切り替える場合に自動にするか手動にするかの選択を可能にしてオペレータの所望する作業ができるようにしてあり、これにより、手動ボタン（５）の切り替えにより選別物の機外取出しから機内循環への切り替えが、オペレータの所望によって自動にするか手動にするかの選択が随時自由にでき、しかも、手動ボタン（５）が操作レバー（１）の傍らに取り付けられて現在自動になっているか手動になっているかの確認がし易いのである。
【００２０】
次に、図６〜図８に示す実施例のものについて記載する。この図に示すものは前記の図１〜図５により説明したところの、揺動式の混合米選別部（Ａ）を壺穴式のものにするとともに、操作レバー（１）により切替弁（３１）を機外取出姿勢と機内循環姿勢に切り替える構成のものに加えて、脱ぷ風選部（Ｂ）の籾タンク（８）の底部に設けたシャッタ（９）の開閉も操作レバー（１）の操作によって可能にするものである。
【００２１】
即ち、壺穴式の混合米選別部（Ａ）は混合米昇降機（１４）により揚上する混合米を貯留タンク（４）から混合米供給樋（４０）を経て混合米移送樋（４１）によって選別胴（４２）内を後方側に送って胴内周面に落下させ壺穴のもちあげ作用により選別するもので、壺穴のもちあげ作用により玄米受樋（４３）に落入したものが前側に送られ玄米排出樋（４４）によって玄米取出路（２）に導出され仕上げ風選されて玄米樋（４５）から機外に取り出されるようになっている。
【００２２】
（３１）は切替弁で、軸（３０）を支点にして上下動し玄米排出樋（４４）から落下するものを玄米取出路（２）側に流出させる機外取出姿勢と混合米樋（４６）側に流出させて混合米昇降機（１４）内に流入させる機内循環姿勢とに切り替わるようにしている。
【００２３】
また、脱ぷ風選部（Ｂ）側は籾タンク（８）の操作側に取り付けたパネル（７）を前方に延出し前記切替ガイド溝（６）から側方にずらして前後方向に開閉ガイド溝（１０）を設け、その開閉ガイド溝（１０）後端の開き側（Ｚ）を切替ガイド溝（６）前端の機内循環位置（Ｙ）側に連通して、操作レバー（１）を開閉ガイド溝（１０）から引き続いて切替ガイド溝（６）にそって操作可能にしている。
【００２４】
そして、操作レバー（１）はその基部を軸（３２）に遊嵌するとともに、該レバー（１）の基部側をはさんで係合凹部（４７）（４８）を有する作動アーム（４９）（５０）を軸（３２）に嵌合するのであるが、一方の作動アーム（４９）の基部側のボス部は軸（３２）に回動自在に嵌合してレバーア−ム（３３）を突設し、他方の作動アーム（５０）のボス部は軸（３２）に嵌着してシャッタアーム（５１）を突設している。
【００２５】
前記の突設するレバーアーム（３３）はワイヤー（３５）を介して弁アーム（３４）に連動連結し、軸（３２）は操作側から反対側に延長されてその延長軸部にシャッタアーム（５１）に対設するアーム（５２）のボス部が嵌着し、シャッタアーム（５１）とアーム（５２）との間に棒状体（５３）を介してシャッタ（９）が連動する構成にしてある。
【００２６】
なお、その他の構成は前述せる図１〜図５に示したものと同じであるから重複を避けるため同一の符号をつけて説明を省略する。
【００２７】
これにより、操作レバー（１）を他方の係合凹部（４８）に係合させて開閉ガイド溝（１０）にそって前端に操作し、シャッタ（９）が籾タンク（８）の底部を閉する状態から操作レバー（１）を開き側（Ｚ）に移動すると、シャッタ（９）は開動して籾タンク（８）内の籾は落下する。
【００２８】
次いで、操作レバー（１）を切替ガイド溝（６）の機内循環位置（Ｙ）に移行すれば他方の係合凹部（４８）から脱して一方の係合凹部（４７）に係合して切替弁（３１）を機内循環姿勢に保持し、機内循環位置（Ｙ）から機外取出位置（Ｘ）に操作することにより切替弁（３１）は機内循環姿勢から機外取出姿勢に切り替わる。そして、貯留タンク（４）内の混合米が空の状態になると操作レバー（１）は解除手段（Ｐ）によって自動的に機内循環位置（Ｙ）に移動して切替弁（３１）を機内循環姿勢にするのである。
【００２９】
【発明の効果】
本発明は、以上説明したような形態で実施され、次に記載するような効果を奏する。
【００３０】
脱ぷ風選部(Ｂ)の籾タンク(８)横側部に配設したパネル(７)の切替ガイド溝(６)に沿って作動する手動操作レバー(１)の作動により、前記混合米選別部(Ａ)から流出する選別物を玄米取出路(２)側と混合米循環路(３）側とに案内して機外取出しと機内循環とに切り替える籾摺機の選別物切り替え装置において、前記混合米選別部(Ａ)に混合米を供給する貯留タンク(４）を昇降可能に吊持し、該貯留タンク(４)内の貯留量が減少して上昇し空になった時点における貯留タンク(４)に連係して、前記切替ガイド溝(６)の機外取出位置(Ｘ)に係止中の前記操作レバー(１)の係止を自動的に解く解除手段(Ｐ)を設け、該解除手段(Ｐ)により操作レバー(１)を前記機外取出位置(Ｘ)から前記切替ガイド溝(６)の機内循環位置(Ｙ)に自動的に戻す構成にしたことにより、貯留タンク(４)内の貯留量が空になることによって混合米選別部(Ａ)における選別作用が不安定になれば、機外取出位置(Ｘ)に係止中の操作レバー(１)は解除手段(Ｐ)によって自動的にその係止が解かれ混合米選別部(Ａ)から流出する選別物は機内循環に切り替わるから、オペレータによる切り替え操作は不要で選別精度の低下を防止することができる。
【００３１】
そして、解除手段(Ｐ)は、貯留タンク(４)の貯留量が空になったことを検知するスイッチ(Ｓ)を機外取出位置(Ｘ)に係止中の操作レバー(１)の係止を解く側に移行させる制御モータ(Ｍ)に接続して、スイッチ(Ｓ)の検知に連動して制御モータ(Ｍ)を作動する構成のものにしてあるから、貯留タンク内の貯留量が減少して空になったことを正確に検知し、その検知により制御モータ(Ｍ)が機外取出位置(Ｘ)の操作レバー(１)の係止を解くので、機内循環への切り替えが時期を失することなく確実なものになる。
【００３２】
また、切替ガイド溝(６)の機外取出位置(Ｘ)に係止中の操作レバー(１)の係止を自動的に解く解除手段(Ｐ)を設ける一方で、前記パネル(７)の前方延出部分に切替ガイド溝(６)から側方にずれて位置する前後方向の開閉ガイド溝(１０)を設け、該開閉ガイド溝(１０)後端の開き側(Ｚ)を、前記切替ガイド溝(６)前端の機内循環位置(Ｙ)側に連通させ、前記操作レバー(１)を、切替ガイド溝(６)の機内循環位置(Ｙ)から引き続いて開閉ガイド溝(１０)にそって手動移行させることにより、前記脱ぷ風選部(Ｂ)の籾タンク(８)底部に設けられているシャッタ(９）を開閉し得るようにしたことによって、機外取出位置(Ｘ)に係止中の手動操作レバー(１)が解除手段(Ｐ)により自動的に係止を解かれ、混合米選別部(Ａ)から流出する選別物は自動的にタイミグよく機内循環に切り替わるものでありながら、操作レバー(１)の手動操作により籾タンク(８)のシャッタ(９)の開閉もでき、その開閉操作に引き続いて選別物の機内循環と機外取出しの切り替えが可能になる。
【図面の簡単な説明】
【図１】脱ぷ風選部がわの本装置の側面図である。
【図２】揺動式の混合米選別部の側面図である。
【図３】本装置を示す斜視図である。
【図４】籾摺機全体の側面図である。
【図５】同籾摺機の平面図である。
【図６】他の実施例のものの脱ぷ風選部がわの本装置の側面図である。
【図７】同例のものの本装置を示す斜視図である。
【図８】同じく壺穴式の混合米選別部の側面図である。
【符号の説明】
１    手動操作レバー
Ａ    混合米選別部
２    玄米取出路
３    混合米循環路
４    貯留タンク
Ｘ    機外取出位置
Ｙ    機内循環位置
Ｐ    解除手段
Ｓ    スイッチ
Ｍ    制御モータ
５    手動ボタン
６    切替ガイド溝
７    パネル
Ｂ    脱ぷ風選部
８    籾タンク
９    シャッタ
１０  開閉ガイド溝
Ｚ   開き側
【図１】
0004358390.tif 000002
【図２】
0004358390.tif 000003
【図３】
0004358390.tif 000004
【図４】
0004358390.tif 000005
【図５】
0004358390.tif 000006
【図６】
0004358390.tif 000007
【図７】
0004358390.tif 000008
【図８】
0004358390.tif 000009